(57)【特許請求の範囲】
【請求項１】
公衆通信網を内線通信網に接続する電話中継装置であって、
前記内線通信網には電話端末が接続しており、
前記内線通信網及び前記公衆通信網の双方にはデュアル型携帯端末が接続可能であり、
前記電話端末及び前記デュアル型携帯端末それぞれの外線番号及び内線番号を互いに対応付けて記憶する電話番号記憶手段と、
前記公衆通信網から、前記電話端末の前記外線番号を着番とし、かつ発番を含む接続要求を受信する接続要求受信手段と、
前記発番が前記デュアル型携帯端末の前記外線番号として前記電話番号記憶手段に記憶されているときに、前記着番に対応する前記内線番号を前記電話番号記憶手段から読み出す電話番号読出手段と、
前記電話番号読出手段が読み出した前記内線番号を用いて、前記デュアル型携帯端末と前記電話端末とを前記内線通信網を介して接続させる処理である内線接続処理を行う電話中継手段と、
を備え、
前記電話番号読出手段は、前記着番に対応する前記内線番号に加えて、前記発番に対応する前記内線番号を前記電話番号記憶手段から読み出し、
前記電話中継手段は、前記内線接続処理として前記デュアル型携帯端末及び前記電話端末それぞれに前記内線番号を用いて発信することにより、前記デュアル型携帯端末と前記電話端末とを前記内線通信網を介して接続させる電話中継装置。
【請求項２】
公衆通信網を内線通信網に接続する電話中継装置であって、
前記内線通信網には電話端末が接続しており、
前記内線通信網及び前記公衆通信網の双方にはデュアル型携帯端末が接続可能であり、
前記電話端末及び前記デュアル型携帯端末それぞれの外線番号及び内線番号を互いに対応付けて記憶する電話番号記憶手段と、
前記公衆通信網から、前記電話端末の前記外線番号を着番とし、かつ発番を含む接続要求を受信する接続要求受信手段と、
前記発番が前記デュアル型携帯端末の前記外線番号として前記電話番号記憶手段に記憶されているときに、前記着番に対応する前記内線番号を前記電話番号記憶手段から読み出す電話番号読出手段と、
前記電話番号読出手段が読み出した前記内線番号を用いて、前記デュアル型携帯端末と前記電話端末とを前記内線通信網を介して接続させる処理である内線接続処理を行う電話中継手段と、
を備え、
前記電話中継手段は、前記内線接続処理として、データ通信により前記デュアル型携帯端末に前記電話端末の内線番号を送信することにより、前記デュアル型携帯端末に前記電話端末に内線発信させる電話中継装置。
【請求項３】
請求項１または２に記載の電話中継装置において、
前記デュアル型携帯端末が前記内線通信網に接続可能な状態であるか否かを示すプレゼンス情報を記憶するプレゼンス記憶手段をさらに備え、
前記電話中継手段は、前記プレゼンス記憶手段に記憶されている前記プレゼンス情報が前記内線通信網に接続可能であることを示しているときに、前記内線接続処理を行う電話中継装置。
【請求項４】
請求項３に記載の電話中継装置において、
前記電話中継手段は、前記プレゼンス記憶手段に記憶されている前記プレゼンス情報が前記内線通信網に接続不可能な状態であることを示しているときに、前記公衆通信網を介して前記デュアル型携帯端末と前記電話端末とを接続させる外線接続処理を行う電話中継装置。
【請求項５】
公衆通信網を内線通信網に接続する電話中継装置と、
前記内線通信網及び前記公衆通信網の双方に接続が可能なデュアル型携帯端末と、
前記内線通信網に接続している電話端末と、
を備える電話システムであって、
前記電話中継装置は、
前記電話端末及び前記デュアル型携帯端末それぞれの外線番号及び内線番号、を互いに対応付けて記憶する電話番号記憶手段と、
前記公衆通信網から、前記電話端末の前記外線番号を着番とし、かつ発番を含む接続要求を受信する接続要求受信手段と、
前記発番が前記デュアル型携帯端末の前記外線番号として前記電話番号記憶手段に記憶されているときに、前記着番に対応する前記内線番号と、前記発番に対応する前記内線番号とを前記電話番号記憶手段から読み出す電話番号読出手段と、
前記電話番号読出手段が読み出した前記着番に対応する前記内線番号及び前記発番に対応する前記内線番号を用いて、前記デュアル型携帯端末及び前記電話端末それぞれに発信することにより、前記デュアル型携帯端末と前記電話端末とを前記内線通信網を介して接続させる処理である内線接続処理を行う電話中継手段と、
を備える電話システム。
【請求項６】
公衆通信網を内線通信網に接続する電話中継装置と、
前記内線通信網及び前記公衆通信網の双方に接続が可能なデュアル型携帯端末と、
前記内線通信網に接続している電話端末と、
を備える電話システムであって、
前記電話中継装置は、
前記電話端末及び前記デュアル型携帯端末それぞれの外線番号及び内線番号、を互いに対応付けて記憶する電話番号記憶手段と、
前記公衆通信網から、前記電話端末の前記外線番号を着番とし、かつ発番を含む接続要求を受信する接続要求受信手段と、
前記発番が前記デュアル型携帯端末の前記外線番号として前記電話番号記憶手段に記憶されているときに、前記着番に対応する前記内線番号を前記電話番号記憶手段から読み出す電話番号読出手段と、
前記電話番号読出手段が読み出した前記着番に対応する前記内線番号を、データ通信により前記デュアル型携帯端末に送信することにより、前記デュアル型携帯端末から前記電話端末に内線発信させる内線接続処理を行う電話中継手段と、
を備える電話システム。
【請求項７】
公衆通信網を内線通信網に接続する電話中継装置を用いた電話中継方法であって、
前記内線通信網には電話端末が接続しており、
前記内線通信網及び前記公衆通信網の双方にはデュアル型携帯端末が接続可能であり、
前記電話中継装置が、前記電話端末及び前記デュアル型携帯端末それぞれの外線番号及び内線番号を互いに対応付けて記憶しておき、
前記電話中継装置が、前記公衆通信網から、前記電話端末の前記外線番号を着番とし、かつ発番を含む接続要求を受信し、
前記電話中継装置が、前記発番を前記デュアル型携帯端末の前記外線番号として記憶しているときに、前記着番に対応する前記内線番号と、前記発番に対応する前記内線番号とを読み出し、
前記電話中継装置が、読み出した前記着番に対応する前記内線番号及び前記発番に対応する前記内線番号を用いて、前記デュアル型携帯端末及び前記電話端末それぞれに発信することにより、前記デュアル型携帯端末と前記電話端末とを前記内線通信網を介して接続させる処理である内線接続処理を行う電話中継方法。
【請求項８】
公衆通信網を内線通信網に接続する電話中継装置を用いた電話中継方法であって、
前記内線通信網には電話端末が接続しており、
前記内線通信網及び前記公衆通信網の双方にはデュアル型携帯端末が接続可能であり、
前記電話中継装置が、前記電話端末及び前記デュアル型携帯端末それぞれの外線番号及び内線番号を互いに対応付けて記憶しておき、
前記電話中継装置が、前記公衆通信網から、前記電話端末の前記外線番号を着番とし、かつ発番を含む接続要求を受信し、
前記電話中継装置が、前記発番を前記デュアル型携帯端末の前記外線番号として記憶しているときに、前記着番に対応する前記内線番号を読み出し、
前記電話中継装置が、読み出した前記着番に対応する前記内線番号を、データ通信により前記デュアル型携帯端末に送信することにより、前記デュアル型携帯端末から前記電話端末に内線発信させる内線接続処理を行う電話中継方法。
【請求項９】
コンピュータを、公衆通信網を内線通信網に接続する電話中継装置として機能させるためのプログラムであって、
前記内線通信網には電話端末が接続しており、
前記内線通信網及び前記公衆通信網の双方にはデュアル型携帯端末が接続可能であり、
前記コンピュータに、
前記電話端末及び前記デュアル型携帯端末それぞれの外線番号及び内線番号を互いに対応付けて記憶する機能と、
前記公衆通信網から、前記電話端末の前記外線番号を着番とし、かつ発番を含む接続要求を受信する機能と、
前記発番を前記デュアル型携帯端末の前記外線番号として記憶しているときに、前記着番に対応する前記内線番号と、前記発番に対応する前記内線番号とを読み出す機能と、
読み出した前記着番に対応する前記内線番号及び前記発番に対応する前記内線番号を用いて、前記デュアル型携帯端末及び前記電話端末それぞれに発信することにより、前記デュアル型携帯端末と前記電話端末とを前記内線通信網を介して接続させる処理である内線接続処理を行う機能と、
を実現させるプログラム。
【請求項１０】
コンピュータを、公衆通信網を内線通信網に接続する電話中継装置として機能させるためのプログラムであって、
前記内線通信網には電話端末が接続しており、
前記内線通信網及び前記公衆通信網の双方にはデュアル型携帯端末が接続可能であり、
前記コンピュータに、
前記電話端末及び前記デュアル型携帯端末それぞれの外線番号及び内線番号を互いに対応付けて記憶する機能と、
前記公衆通信網から、前記電話端末の前記外線番号を着番とし、かつ発番を含む接続要求を受信する機能と、
前記発番を前記デュアル型携帯端末の前記外線番号として記憶しているときに、前記着番に対応する前記内線番号を読み出す機能と、
前記電話番号読出手段が読み出した前記着番に対応する前記内線番号を、データ通信により前記デュアル型携帯端末に送信することにより、前記デュアル型携帯端末から前記電話端末に内線発信させる内線接続処理を行う機能と、
を実現させるプログラム。
【発明の詳細な説明】
【技術分野】
【０００１】
本発明は、内線通信網及び公衆通信網の双方に発信可能なデュアル型携帯端末と内戦通信網に接続している電話端末とを接続する電話中継装置、電話システム、電話中継方法、及びプログラムに関する。
【背景技術】
【０００２】
近年、内線通信網および公衆通信網の両方に接続することができるデュアル型携帯端末が、企業内の内線電話端末として活用されている。例えば特許文献１には、携帯端末を社内内線端末として使用するシステムにおいて、発呼者が内線サービスの範囲外にいるときに、内線で発呼するときの同様の操作で着呼側の端末に接続するための方法が記載されている。
【０００３】
また特許文献２には、複数の種類の通信を行う通信手段、例えば音声用のＶＯＩＰ手段とデータ通信用のデータ用ＩＰ手段とを備える通信装置において、通信に関する情報の種類に応じて通信の経路を選択することが記載されている。
【先行技術文献】
【特許文献】
【０００４】
【特許文献１】特開２００７−１６５９９１号公報
【特許文献２】特開２００７−３００６５０号公報
【発明の概要】
【発明が解決しようとする課題】
【０００５】
デュアル型携帯端末が内線通信網及び公衆通信網の両方ともに通信可能な圏内にある場合、内線で発信するか外線で発信するかは利用者の意思に依存する。そのため、たとえば内線で電話がかけられる状況であるにもかかわらず、利用者の操作により、外線へ電話発信することができてしまう。この場合は、通話料が発生してしまう。
【０００６】
本発明は上記事情に鑑みてなされたものであり、その目的とするところは、デュアル型携帯端末が内線通信網及び公衆通信網の両方に接続可能な状態にあるときに、デュアル型携帯端末が公衆通信網を経由して内線通信網内の電話端末に通信することを抑制できる電話中継装置、電話システム、電話中継方法、及びプログラムを提供することにある。
【課題を解決するための手段】
【０００７】
本発明によれば、公衆通信網を内線通信網に接続する電話中継装置であって、
前記内線通信網には電話端末が接続しており、
前記内線通信網及び前記公衆通信網の双方にはデュアル型携帯端末が接続可能であり、
前記電話端末及び前記デュアル型携帯端末それぞれの外線番号及び内線番号を互いに対応付けて記憶する電話番号記憶手段と、
前記公衆通信網から、前記電話端末の前記外線番号を着番とし、かつ発番を含む接続要求を受信する接続要求受信手段と、
前記発番が前記デュアル型携帯端末の前記外線番号として前記電話番号記憶手段に記憶されているときに、前記着番に対応する前記内線番号を前記電話番号記憶手段から読み出す電話番号読出手段と、
前記電話番号読出手段が読み出した前記内線番号を用いて、前記デュアル型携帯端末と前記電話端末とを前記内線通信網を介して接続させる処理である内線接続処理を行う電話中継手段と、
を備える電話中継装置が提供される。
【０００８】
本発明によれば、公衆通信網を内線通信網に接続する電話中継装置と、
前記内線通信網及び前記公衆通信網の双方に接続が可能なデュアル型携帯端末と、
前記内線通信網に接続している電話端末と、
を備える電話システムであって、
前記電話中継装置は、
前記電話端末及び前記デュアル型携帯端末それぞれの外線番号及び内線番号、を互いに対応付けて記憶する電話番号記憶手段と、
前記公衆通信網から、前記電話端末の前記外線番号を着番とし、かつ発番を含む接続要求を受信する接続要求受信手段と、
前記発番が前記デュアル型携帯端末の前記外線番号として前記電話番号記憶手段に記憶されているときに、前記着番に対応する前記内線番号を前記電話番号記憶手段から読み出す電話番号読出手段と、
前記電話番号読出手段が読み出した前記内線番号を用いて、前記デュアル型携帯端末と前記電話端末とを前記内線通信網を介して接続させる処理である内線接続処理を行う電話中継手段と、
を備える電話システムが提供される。
【０００９】
本発明によれば、公衆通信網を内線通信網に接続する電話中継装置を用いた電話中継方法であって、
前記内線通信網には電話端末が接続しており、
前記内線通信網及び前記公衆通信網の双方にはデュアル型携帯端末が接続可能であり、
前記電話中継装置が、前記電話端末及び前記デュアル型携帯端末それぞれの外線番号及び内線番号を互いに対応付けて記憶しておき、
前記電話中継装置が、前記公衆通信網から、前記電話端末の前記外線番号を着番とし、かつ発番を含む接続要求を受信し、
前記電話中継装置が、前記発番を前記デュアル型携帯端末の前記外線番号として記憶しているときに、前記着番に対応する前記内線番号を読み出し、
前記電話中継装置が、読み出した前記内線番号を用いて、前記デュアル型携帯端末と前記電話端末とを前記内線通信網を介して接続させる処理である内線接続処理を行う電話中継方法が提供される。
【００１０】
本発明によれば、コンピュータを、公衆通信網を内線通信網に接続する電話中継装置として機能させるためのプログラムであって、
前記内線通信網には電話端末が接続しており、
前記内線通信網及び前記公衆通信網の双方にはデュアル型携帯端末が接続可能であり、
前記コンピュータに、
前記電話端末及び前記デュアル型携帯端末それぞれの外線番号及び内線番号を互いに対応付けて記憶する機能と、
前記公衆通信網から、前記電話端末の前記外線番号を着番とし、かつ発番を含む接続要求を受信する機能と、
前記発番を前記デュアル型携帯端末の前記外線番号として記憶しているときに、前記着番に対応する前記内線番号を読み出す機能と、
読み出した前記内線番号を用いて、前記デュアル型携帯端末と前記電話端末とを前記内線通信網を介して接続させる処理である内線接続処理を行う機能と、
を実現させるプログラムが提供される。
【発明の効果】
【００１１】
本発明によれば、デュアル型携帯端末が内線通信網及び公衆通信網の両方に接続可能な状態にあるときに、デュアル型携帯端末が公衆通信網を経由して内線通信網内の電話端末に通信することを抑制できる。
【図面の簡単な説明】
【００１２】
【図１】第１の実施形態に係る電話システムの利用環境を示す図である。
【図２】デュアル型携帯端末の機能構成を示すブロック図である。
【図３】電話番号記憶部が記憶しているデータをテーブル形式で示す図である。
【図４】電話中継装置の機能構成を示すブロック図である。
【図５】電話番号記憶部が記憶しているデータをテーブル形式で示す図である。
【図６】プレゼンス記憶部が記憶しているデータをテーブル形式で示す図である。
【図７】図１に示した電話システムの動作の第１例を示すフローチャートである。
【図８】図１に示した電話システムの動作の第２例を示すフローチャートである。
【図９】第２の実施形態に係るデュアル型携帯端末の機能構成を示すブロック図である。
【図１０】第２の実施形態における電話システムの動作を示すフローチャートである。
【発明を実施するための形態】
【００１３】
以下、本発明の実施の形態について、図面を用いて説明する。尚、すべての図面において、同様な構成要素には同様の符号を付し、適宜説明を省略する。
【００１４】
（第１の実施形態）
図１は、第１の実施形態に係る電話システムの利用環境を示す図である。この電話システムは、デュアル型携帯端末１００、電話中継装置２００、及び電話端末３００を備えている。デュアル型携帯端末１００は内線通信網１０及び公衆通信網２０の双方に接続が可能な携帯端末である。電話中継装置２００は、公衆通信網２０を内線通信網１０に接続する。また電話中継装置２００は、内線通信網１０に接続している通信端末を内線として相互に接続する。電話端末３００は、内線通信網１０に接続している電話端末であり、携帯端末及び固定端末の何れであってもよい。本図では、電話端末３００及びデュアル型携帯端末１００をそれぞれ一つのみ図示しているが、内線通信網１０には複数の電話端末３００及び複数のデュアル型携帯端末１００が接続していてもよい。
【００１５】
電話中継装置２００は、電話端末３００及びデュアル型携帯端末１００それぞれの外線番号及び内線番号を互いに対応付けて記憶している。そして電話中継装置２００は、公衆通信網２０から、電話端末３００の外線番号を着番とし、かつ発番を含む接続要求を受信する。電話中継装置２００は、発番をデュアル型携帯端末１００の外線番号として記憶しているときに、着番に対応する内線番号を読み出す。そして電話中継装置２００は、読み出した内線番号、すなわち電話端末３００の内線番号を用いて、デュアル型携帯端末１００と電話端末３００とを内線通信網１０を介して接続させる処理である内線接続処理を行う。
【００１６】
なお電話中継装置２００は、デュアル型携帯端末１００以外の電話端末から、電話端末３００の外線番号を着番とする接続要求を受信したときは、その接続要求をそのまま内線通信網１０を経由して電話端末３００に転送する。
【００１７】
図２は、デュアル型携帯端末１００の機能構成を示すブロック図である。デュアル型携帯端末１００は、電話番号記憶部１１０、入力部１２０、及び電話処理部１３０を備える。なお本図において、スピーカやマイク等は図示を省略している。
【００１８】
電話番号記憶部１１０は、電話帳情報を記憶している。入力部１２０は、デュアル型携帯端末１００の使用者がデュアル型携帯端末１００に入力する情報を取得する。電話処理部１３０は、入力部１２０が取得した情報に従って、電話の発信処理や着信処理を行う。
【００１９】
図３は、電話番号記憶部１１０が記憶しているデータをテーブル形式で示す図である。電話番号記憶部１１０は、他の電話端末や携帯端末の外線番号を、電話端末や携帯端末の使用者を特定する情報（例えば氏名）に対応付けて記憶している。電話番号記憶部１１０が記憶している電話番号には、図１に示した電話端末３００の外線番号が含まれている。
【００２０】
図４は、電話中継装置２００の機能構成を示すブロック図である。電話中継装置２００は、電話番号記憶部２１０、接続要求受信部２２０、番号読出部２３０、及び電話中継部２４０を備える。
【００２１】
電話番号記憶部２１０は、電話端末３００及びデュアル型携帯端末１００それぞれについて、外線番号及び内線番号を互いに対応付けて記憶している。接続要求受信部２２０は、公衆通信網２０から、電話端末３００の外線番号を着番とし、かつ発番を含む接続要求を受信する。番号読出部２３０は、接続要求に含まれる発番がデュアル型携帯端末１００の外線番号として電話番号記憶部２１０に記憶されているときに、着番に対応する内線番号を電話番号記憶部２１０から読み出す。電話中継部２４０は、番号読出部２３０が読み出した内線番号を用いて、デュアル型携帯端末１００と電話端末３００とを内線通信網１０を介して接続させる処理である内線接続処理を行う。
【００２２】
電話中継装置２００は、さらにプレゼンス記憶部２５０及びプレゼンス更新部２５２を備える。プレゼンス記憶部２５０は、デュアル型携帯端末１００が内線通信網１０に接続可能な状態にあるか否かを示すプレゼンス情報を記憶している。プレゼンス更新部２５２は、定期的に内線通信網１０を介してデュアル型携帯端末１００への接続を試行し、この試行結果に基づいてプレゼンス記憶部２５０が記憶しているプレゼンス情報を更新する。
【００２３】
そして電話中継部２４０は、プレゼンス記憶部２５０に記憶されているプレゼンス情報が内線通信網１０に接続可能であることを示しているときに、上記した内線接続処理を行う。
【００２４】
なお電話中継部２４０は、プレゼンス記憶部２５０に記憶されているプレゼンス情報が内線通信網１０に接続不可能な状態であることを示しているときに、公衆通信網２０を介してデュアル型携帯端末１００と電話端末３００とを接続させる外線接続処理を行う。
【００２５】
図４において、本発明の本質に関わらない部分の構成については省略している。図４に示した電話中継装置２００の各構成要素は、ハードウエア単位の構成ではなく、機能単位のブロックを示している。電話中継装置２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００２６】
図５は、電話番号記憶部２１０が記憶しているデータをテーブル形式で示す図である。電話番号記憶部２１０は、デュアル型携帯端末１００及び電話端末３００それぞれについて、外線番号及び内線番号を、デュアル型携帯端末１００及び電話端末３００の使用者を特定する情報（例えば氏名）に対応付けて記憶している。
【００２７】
図６は、プレゼンス記憶部２５０が記憶しているデータをテーブル形式で示す図である。プレゼンス記憶部２５０は、デュアル型携帯端末１００別に、内線番号とプレゼンス情報とを互いに対応付けて記憶している。本図に示す例において、プレゼンス情報が「○」の場合は、そのデュアル型携帯端末１００が内線通信網１０に接続できる環境に位置していることを示しており、プレゼンス情報が「×」の場合は、そのデュアル型携帯端末１００が内線通信網１０に接続できない環境に位置していることを示している。
【００２８】
図７は、図１に示した電話システムの動作の第１例を示すフローチャートである。このフローチャートは、デュアル型携帯端末１００が内線通信網１０に接続できる環境に位置しているときの動作を示している。
【００２９】
まずデュアル型携帯端末１００の電話処理部１３０は、入力部１２０を介して操作者から入力される情報に従って、電話番号記憶部１１０から電話端末３００の外線番号を読み出す。そして電話処理部１３０は、読み出した外線番号を用いて、公衆通信網２０を介して電話中継装置２００に接続要求を送信する。この接続要求は、電話端末３００の外線番号を着番とし、デュアル型携帯端末１００の外線番号を発番としている（ステップＳ１０）。
【００３０】
電話中継装置２００の接続要求受信部２２０は、デュアル型携帯端末１００から送信された接続要求を受信する。そして電話中継部２４０は、接続要求に含まれる発番及び着番を、番号読出部２３０に受け渡す。番号読出部２３０は、発番に対応する内線番号（すなわちデュアル型携帯端末１００の内線番号）及び着番に対応する内線番号（すなわち電話端末３００の内線番号）を、電話番号記憶部２１０から読み出し、電話中継部２４０に受け渡す（ステップＳ２０）。
【００３１】
なお接続要求に含まれる発番が電話番号記憶部２１０に記憶されておらず、この発番に対応する内線番号がない場合は、電話中継部２４０は、接続要求をそのまま電話端末３００に転送する。
【００３２】
電話中継部２４０は、番号読出部２３０から受け渡された発番に対応する内線番号を用いて、この内線番号に対応するプレゼンス情報をプレゼンス記憶部２５０から読み出して確認する（ステップＳ３０）。上記したように、このフローチャートは、デュアル型携帯端末１００は内線通信網１０に接続できる環境に位置していることを前提にしている。このため、読み出されたプレゼンス情報は、デュアル型携帯端末１００は内線通信網１０に接続できることを示している。
【００３３】
電話中継部２４０は、デュアル型携帯端末１００が内線通信網１０に接続できることを確認すると、デュアル型携帯端末１００からの接続要求を切断する処理を行う（ステップＳ４０）。そして電話中継部２４０は、番号読出部２３０から受け渡されたデュアル型携帯端末１００の内線番号に発呼することにより、内線通信網を経由してデュアル型携帯端末１００に接続要求を送信する（ステップＳ５０）。このときの接続要求において、発番には電話端末３００の外線番号が用いられる。このためデュアル型携帯端末１００の使用者は、その接続要求に応答すると電話端末３００と通話が行えることを認識することができる。
【００３４】
デュアル型携帯端末１００は、電話中継部２４０から接続要求を受信すると、使用者の操作なしで、この接続要求に応答する。すると電話中継部２４０は、番号読出部２３０から受け渡された電話端末３００の内線番号に発呼することにより、内線通信網を経由して電話端末３００に接続要求を送信する（ステップＳ６０）。このときの接続要求において、発番にはデュアル型携帯端末１００の外線番号又は内線番号が用いられる。
【００３５】
電話端末３００の使用者が電話に応答する旨の入力を電話端末３００に行うと、電話中継部２４０は、デュアル型携帯端末１００と電話端末３００を内線通信網１０のみを介して相互に接続して、通話処理を行う（ステップＳ７０）。
【００３６】
図８は、図１に示した電話システムの動作の第２例を示すフローチャートである。このフローチャートは、デュアル型携帯端末１００が内線通信網１０に接続できない環境に位置しているときの動作を示している。
【００３７】
ステップＳ１０〜ステップＳ３０までの処理は、図７に示した第１例と同様であるため、説明を省略する。ただしステップＳ３０において読み出されたプレゼンス情報は、デュアル型携帯端末１００は内線通信網１０に接続できないことを示している。このため、電話中継部２４０は、デュアル型携帯端末１００から公衆通信網２０を介して送信されてきた接続要求を、そのまま電話端末３００に送る（ステップＳ３５）。電話端末３００の使用者が電話に応答する旨の入力を電話端末３００に行うと、電話中継部２４０は、デュアル型携帯端末１００と電話端末３００を、公衆通信網２０を介して相互に接続して、通話処理を行う（ステップＳ７０）。
【００３８】
次に、本実施形態の作用及び効果について説明する。本実施形態によれば、デュアル型携帯端末１００が内線通信網１０に接続できる環境にあるとき、デュアル型携帯端末１００が電話端末３００に向けて公衆通信網２０を介して外線発信を行っても、電話中継装置２００は、デュアル型携帯端末１００と電話端末３００とを内線で接続する。このため、無駄な通話料が発生することを抑制できる。
【００３９】
また電話中継装置２００は、デュアル型携帯端末１００のプレゼンス情報を確認し、デュアル型携帯端末１００が内線通信網１０に接続できる環境にあるときにのみ、デュアル型携帯端末１００と電話端末３００とを内線で接続する処理を行う。このため、デュアル型携帯端末１００と電話端末３００とを確実に接続することができる。
【００４０】
（第２の実施形態）
第２の実施形態にかかる電話システムは、電話中継装置２００の電話中継部２４０が、内線接続処理として、データ通信によりデュアル型携帯端末１００に電話端末３００の内線番号を送信することにより、デュアル型携帯端末１００に電話端末３００に内線発信させる点を除いて、第１の実施形態と同様である。以下、第１の実施形態と異なる部分のみ説明する。
【００４１】
図９は、本実施形態に係るデュアル型携帯端末１００の機能構成を示すブロック図である。デュアル型携帯端末１００は、データ通信処理部１４０を備える点を除いて、第１の実施形態と同様の機能構成である。データ通信処理部１４０は、公衆通信網２０又は内線通信網１０を介して、電話中継装置２００などの他の装置とデータ通信を行う。
【００４２】
図１０は、本実施形態における電話システムの動作を示すフローチャートである。このフローチャートは、第１の実施形態における図７に相当しており、デュアル型携帯端末１００が内線通信網１０に接続できる環境に位置しているときの動作を示している。
【００４３】
ステップＳ１０〜ステップＳ４０までの処理は、図７と同様であるため説明を省略する。ただしステップＳ２０において番号読出部２３０は、デュアル型携帯端末１００の内線番号を読み出す必要はない。
【００４４】
電話中継装置２００の電話中継部２４０は、外線の切断処理（ステップＳ４０）を行うと、デュアル型携帯端末１００に、例えば内線通信網１０を介してデータ通信により、ステップＳ２０で読み出した電話端末３００の内線番号をデュアル型携帯端末１００に送信する（ステップＳ４２）。
【００４５】
デュアル型携帯端末１００のデータ通信処理部１４０は、電話中継装置２００から電話端末３００の内線番号を受信し、受信した内線番号を電話処理部１３０に受け渡す。電話処理部１３０は、受け渡された内線番号を用いて、内線通信網１０を経由して電話中継装置２００に電話端末３００への接続要求を送信する（ステップＳ４４）。
【００４６】
電話中継装置２００の電話中継部２４０は、デュアル型携帯端末１００から送信された接続要求を、電話端末３００に送信する（ステップＳ４６）。そして電話端末３００の使用者が電話に応答する旨の入力を電話端末３００に行うと、電話中継部２４０は、デュアル型携帯端末１００と電話端末３００を内線通信網１０のみを介して相互に接続して、通話処理を行う（ステップＳ７０）。
【００４７】
本実施形態によっても第１の実施形態と同様の効果を得ることができる。
【００４８】
以上、図面を参照して本発明の実施形態について述べたが、これらは本発明の例示であり、上記以外の様々な構成を採用することもできる。
なお、上述した実施形態によれば以下の発明が開示されている。
（付記１）
公衆通信網を内線通信網に接続する電話中継装置であって、
前記内線通信網には電話端末が接続しており、
前記内線通信網及び前記公衆通信網の双方にはデュアル型携帯端末が接続可能であり、
前記電話端末及び前記デュアル型携帯端末それぞれの外線番号及び内線番号を互いに対応付けて記憶する電話番号記憶手段と、
前記公衆通信網から、前記電話端末の前記外線番号を着番とし、かつ発番を含む接続要求を受信する接続要求受信手段と、
前記発番が前記デュアル型携帯端末の前記外線番号として前記電話番号記憶手段に記憶されているときに、前記着番に対応する前記内線番号を前記電話番号記憶手段から読み出す電話番号読出手段と、
前記電話番号読出手段が読み出した前記内線番号を用いて、前記デュアル型携帯端末と前記電話端末とを前記内線通信網を介して接続させる処理である内線接続処理を行う電話中継手段と、
を備える電話中継装置。
（付記２）
付記１に記載の電話中継装置において、
前記デュアル型携帯端末が前記内線通信網に接続可能な状態であるか否かを示すプレゼンス情報を記憶するプレゼンス記憶手段をさらに備え、
前記電話中継手段は、前記プレゼンス記憶手段に記憶されている前記プレゼンス情報が前記内線通信網に接続可能であることを示しているときに、前記内線接続処理を行う電話中継装置。
（付記３）
付記２に記載の電話中継装置において、
前記電話中継手段は、前記プレゼンス記憶手段に記憶されている前記プレゼンス情報が前記内線通信網に接続不可能な状態であることを示しているときに、前記公衆通信網を介して前記デュアル型携帯端末と前記電話端末とを接続させる外線接続処理を行う電話中継装置。
（付記４）
付記１〜３のいずれかひとつに記載の電話中継装置において、
前記電話番号読出手段は、前記着番に対応する前記内線番号に加えて、前記発番に対応する前記内線番号を前記電話番号記憶手段から読み出し、
前記電話中継手段は、前記内線接続処理として前記デュアル型携帯端末及び前記電話端末それぞれに前記内線番号を用いて発信することにより、前記デュアル型携帯端末と前記電話端末とを前記内線通信網を介して接続させる電話中継装置。
（付記５）
付記１〜３のいずれか一つに記載の電話中継装置において、
前記電話中継手段は、前記内線接続処理として、データ通信により前記デュアル型携帯端末に前記電話端末の内線番号を送信することにより、前記デュアル型携帯端末に前記電話端末に内線発信させる電話中継装置。
（付記６）
公衆通信網を内線通信網に接続する電話中継装置と、
前記内線通信網及び前記公衆通信網の双方に接続が可能なデュアル型携帯端末と、
前記内線通信網に接続している電話端末と、
を備える電話システムであって、
前記電話中継装置は、
前記電話端末及び前記デュアル型携帯端末それぞれの外線番号及び内線番号、を互いに対応付けて記憶する電話番号記憶手段と、
前記公衆通信網から、前記電話端末の前記外線番号を着番とし、かつ発番を含む接続要求を受信する接続要求受信手段と、
前記発番が前記デュアル型携帯端末の前記外線番号として前記電話番号記憶手段に記憶されているときに、前記着番に対応する前記内線番号を前記電話番号記憶手段から読み出す電話番号読出手段と、
前記電話番号読出手段が読み出した前記内線番号を用いて、前記デュアル型携帯端末と前記電話端末とを前記内線通信網を介して接続させる処理である内線接続処理を行う電話中継手段と、
を備える電話システム。
（付記７）
公衆通信網を内線通信網に接続する電話中継装置を用いた電話中継方法であって、
前記内線通信網には電話端末が接続しており、
前記内線通信網及び前記公衆通信網の双方にはデュアル型携帯端末が接続可能であり、
前記電話中継装置が、前記電話端末及び前記デュアル型携帯端末それぞれの外線番号及び内線番号を互いに対応付けて記憶しておき、
前記電話中継装置が、前記公衆通信網から、前記電話端末の前記外線番号を着番とし、かつ発番を含む接続要求を受信し、
前記電話中継装置が、前記発番を前記デュアル型携帯端末の前記外線番号として記憶しているときに、前記着番に対応する前記内線番号を読み出し、
前記電話中継装置が、読み出した前記内線番号を用いて、前記デュアル型携帯端末と前記電話端末とを前記内線通信網を介して接続させる処理である内線接続処理を行う電話中継方法。
（付記８）
コンピュータを、公衆通信網を内線通信網に接続する電話中継装置として機能させるためのプログラムであって、
前記内線通信網には電話端末が接続しており、
前記内線通信網及び前記公衆通信網の双方にはデュアル型携帯端末が接続可能であり、
前記コンピュータに、
前記電話端末及び前記デュアル型携帯端末それぞれの外線番号及び内線番号を互いに対応付けて記憶する機能と、
前記公衆通信網から、前記電話端末の前記外線番号を着番とし、かつ発番を含む接続要求を受信する機能と、
前記発番を前記デュアル型携帯端末の前記外線番号として記憶しているときに、前記着番に対応する前記内線番号を読み出す機能と、
読み出した前記内線番号を用いて、前記デュアル型携帯端末と前記電話端末とを前記内線通信網を介して接続させる処理である内線接続処理を行う機能と、
を実現させるプログラム。
【符号の説明】
【００４９】
１０ 内線通信網
２０ 公衆通信網
１００ デュアル型携帯端末
１１０ 電話番号記憶部
１２０ 入力部
１３０ 電話処理部
１４０ データ通信処理部
２００ 電話中継装置
２１０ 電話番号記憶部
２２０ 接続要求受信部
２３０ 番号読出部
２４０ 電話中継部
２５０ プレゼンス記憶部
２５２ プレゼンス更新部
３００ 電話端末
【図１】
0005463763.tif 000002
【図２】
0005463763.tif 000003
【図３】
0005463763.tif 000004
【図４】
0005463763.tif 000005
【図５】
0005463763.tif 000006
【図６】
0005463763.tif 000007
【図７】
0005463763.tif 000008
【図８】
0005463763.tif 000009
【図９】
0005463763.tif 000010
【図１０】
0005463763.tif 000011